(57)【要約】【課題】多くの物品や大きな物品を収納するリュックサックに模様替えできるウエストポーチを提供することを課題とする。【解決手段】小物を収納するウエストポーチ１０である。ウエストポーチ１０は、袋部２１及びこの袋部２１を利用者のウエストに保持するベルト３１からなるウエストポーチ部２０と、袋部２１の上部に設けられる上部ファスナー２７と、袋部２１に折り畳んだ状態で収納され上部ファスナー２７を開けることで引き出すことができリュックサック５０の上部を構成するリュックサック半体部４０とからなる。リュックサック半体部４０を袋部２１に収納した状態では、ウエストポーチ１０として使用する。リュックサック半体部４０を袋部２１から引き出した状態では、リュックサック５０の底を含む下部を袋部２１で構成し、上部をリュックサック半体部４０で構成することでリュックサック５０として使用する。【選択図】図４
0003202016.tif 000002
【実用新案登録請求の範囲】
【請求項１】
小物を出し入れすることができる袋部及びこの袋部を利用者のウエストに保持するベルトからなるウエストポーチ部と、前記袋部の上部に設けられる上部ファスナーと、前記袋部に折り畳んだ状態で収納され前記上部ファスナーを開けることで引き出すことができリュックサックの上部を構成するリュックサック半体部とからなり、
このリュックサック半体部を前記袋部に収納した状態でウエストポーチとして使用でき、
前記リュックサック半体部を前記袋部から引き出した状態では、前記リュックサックの底を含む下部を前記袋部で構成し、上部を前記リュックサック半体部で構成することでリュックサックとして使用できることを特徴とするリュックサックに模様替えできるウエストポーチ。
【請求項２】
前記袋部は、利用者のウエストに当てる腰当て部を有し、
前記ベルトは、前記腰当て部の幅方向一端から延び前記利用者のウエストに巻かれる第１ウエストベルトと、この第１ウエストベルトに設けられるウエスト雄バックルと、前記腰当て部の幅方向他端から延び前記利用者のウエストに巻かれる第２ウエストベルトと、この第２ウエストベルトに設けられ前記ウエスト雄バックルに着脱可能なウエスト雌バックルとを備えていることを特徴とする請求項１記載のリュックサックに模様替えできるウエストポーチ。
【請求項３】
前記リュックサック半体部の上部から延び前記利用者の一方の肩に掛けられる第１ショルダーベルトと、この第１ショルダーベルトに設けられ前記ウエスト雄バックルに着脱可能なショルダー雌バックルと、前記リュックサック半体部の上部から延び前記利用者の他方の肩に掛けられる第２ショルダーベルトと、この第２ショルダーベルトに設けられ前記ウエスト雌バックルに着脱可能なショルダー雄バックルとを備えていることを特徴とする請求項２記載のリュックサックに模様替えできるウエストポーチ。
【請求項４】
前記袋部は、前記小物を出し入れする際に開閉するウエスト側ファスナーを備えていることを特徴とする請求項１〜３のいずれか１項記載のリュックサックに模様替えできるウエストポーチ。
【請求項５】
前記リュックサック半体部は、物品を出し入れする際に開閉するリュック側ファスナーを備えていることを特徴とする請求項１〜４のいずれか１項記載のリュックサックに模様替えできるウエストポーチ。
【考案の詳細な説明】
【技術分野】
【０００１】
本考案は、収納する物品の大きさに応じて形態を変えることができる鞄に関し、特に小物を収納するウエストポーチに関する。
【背景技術】
【０００２】
物品を収納する鞄や袋は大きさが様々である。例えば、利用者が買い物に行く際、多くの物品や大きな物品を収納する場合は大きな袋を使用する。しかし、店に行くまでの移動中に何も収納されていない大きな袋を持ち歩くと邪魔になる。逆に小さな袋であれば移動の邪魔にならないが、多くの物品や大きな物品を入れることができなくなる。このため店に行くまでの移動中は袋を小さくして持ち歩き、買い物をして物品を収納する際に小さな袋を大きくできれば便利である。このような大きさを変えることができる袋が各種提案されている（例えば、特許文献１参照。）。
【０００３】
特許文献１に開示されている袋の基本原理を図９に基づいて説明する。
図９（ａ）に示されるように、袋１００は表向きであって、買い物袋として使用する状態である。袋１００は、袋部１０１の上部に取っ手１０２が設けられ、袋部１０１の中央には裏からぬいぐるみ形状の生地１０３が縫い付けられている。
【０００４】
図９（ｂ）に示されるように、袋１００は裏向きであって、袋部１０１に縫い付けられたぬいぐるみ形状の生地１０３は裏向きである。ぬいぐるみ形状の生地１０３にはファスナー１０４が設けられており、ぬいぐるみ形状の生地１０３と袋部１０１との間にぬいぐるみ形状の小さな袋が形成されている。ファスナー１０４を開けて裏返し、袋部１０１や取っ手１０２を折り畳んでぬいぐるみ形状の小さな袋に収納した後にファスナー１０４を閉じる。
【０００５】
図９（ｃ）に示されるように、ぬいぐるみ形状の生地１０３と重なる部分で袋部１０１の裏面に絵を描いておくことで、裏返した際に絵が表向きになるぬいぐるみ１０５を得ることができる。店に行くまでの移動中は小さなぬいぐるみ１０５として持ち歩き、買い物をして物品を収納する際に袋１００として使用することができる。
【０００６】
ところで、買い物の際は店に行くまでの移動中であっても財布や携帯端末等を持ち歩くことが多い。しかし、従来技術は移動中にぬいぐるみ１０５として持ち歩くため、財布や携帯端末等の小物を別の鞄やポケットに入れる必要が生じる。そこで、移動中は小物を収納する小さな鞄とし、多くの物品や大きな物品を収納する際に大きな鞄に変形することができる技術が望まれている。
【先行技術文献】
【特許文献】
【０００７】
【特許文献１】特開２００９−２０２９３８号公報
【考案の概要】
【考案が解決しようとする課題】
【０００８】
本考案は、多くの物品や大きな物品を収納するリュックサックに模様替えできるウエストポーチを提供することを課題とする。
【課題を解決するための手段】
【０００９】
請求項１に係る考案は、小物を出し入れすることができる袋部及びこの袋部を利用者のウエストに保持するベルトからなるウエストポーチ部と、前記袋部の上部に設けられる上部ファスナーと、前記袋部に折り畳んだ状態で収納され前記上部ファスナーを開けることで引き出すことができリュックサックの上部を構成するリュックサック半体部とからなり、このリュックサック半体部を前記袋部に収納した状態でウエストポーチとして使用でき、前記リュックサック半体部を前記袋部から引き出した状態では、前記リュックサックの底を含む下部を前記袋部で構成し、上部を前記リュックサック半体部で構成することでリュックサックとして使用できることを特徴とする。
【００１０】
請求項２に係る考案では、袋部は、利用者のウエストに当てる腰当て部を有し、ベルトは、腰当て部の幅方向一端から延び利用者のウエストに巻かれる第１ウエストベルトと、この第１ウエストベルトに設けられるウエスト雄バックルと、腰当て部の幅方向他端から延び利用者のウエストに巻かれる第２ウエストベルトと、この第２ウエストベルトに設けられウエスト雄バックルに着脱可能なウエスト雌バックルとを備えていることを特徴とする。
【００１１】
請求項３に係る考案は、リュックサック半体部の上部から延び利用者の一方の肩に掛けられる第１ショルダーベルトと、この第１ショルダーベルトに設けられウエスト雄バックルに着脱可能なショルダー雌バックルと、リュックサック半体部の上部から延び利用者の他方の肩に掛けられる第２ショルダーベルトと、この第２ショルダーベルトに設けられウエスト雌バックルに着脱可能なショルダー雄バックルとを備えていることを特徴とする。
【００１２】
請求項４に係る考案では、袋部は、小物を出し入れする際に開閉するウエスト側ファスナーを備えていることを特徴とする。
【００１３】
請求項５に係る考案では、リュックサック半体部は、物品を出し入れする際に開閉するリュック側ファスナーを備えていることを特徴とする。
【考案の効果】
【００１４】
請求項１に係る考案では、小物を出し入れすることができる袋部及びこの袋部を利用者のウエストに保持するベルトからなるウエストポーチ部と、袋部に折り畳んだ状態で収納され上部ファスナーを開けることで引き出すことができリュックサックの上部を構成するリュックサック半体部とを備える。袋部の上部に上部ファスナーが設けられるので、上部ファスナーを閉じた場合は、リュックサック半体部を袋部に収納した状態でウエストポーチとして使用できる。上部ファスナーを開けた場合は、リュックサック半体部を袋部から引き出した状態で、リュックサックの底を含む下部を袋部で構成し、上部をリュックサック半体部で構成することでリュックサックとして使用できる。結果、財布や携帯端末などの小物を収納できるウエストポーチであって、多くの物品や大きな物品を収納するリュックサックに模様替えできるウエストポーチを提供することができる。
【００１５】
請求項２に係る考案では、リュックサックに模様替えできるウエストポーチであっても、袋部は利用者のウエストに当てる腰当て部を有するので、利用者のウエストに沿ってフィットさせた状態にでき、ウエストポーチを違和感なく身に付けて、付け心地を向上させることができる。
【００１６】
さらに、ベルトは、腰当て部の幅方向一端から延び利用者のウエストに巻かれる第１ウエストベルトと、腰当て部の幅方向他端から延び利用者のウエストに巻かれる第２ウエストベルトとを備える。第１ウエストベルトに設けられるウエスト雄バックルを、第２ウエストベルトに設けられるウエスト雌バックルに着脱することで、簡単にウエストポーチを利用者のウエストに着脱することができる。
【００１７】
請求項３に係る考案では、リュックサック半体部の上部から延び利用者の一方の肩に掛けられる第１ショルダーベルトと、リュックサック半体部の上部から延び利用者の他方の肩に掛けられる第２ショルダーベルトとを備える。第１ショルダーベルトに設けられるショルダー雌バックルをウエスト雄バックルに着脱し、第２ショルダーベルトに設けられるショルダー雄バックルをウエスト雌バックルに着脱するだけで、簡単にリュックサックのショルダーベルトにすることができる。
【００１８】
さらに、ウエストベルトとショルダーベルトにおいて、左右一端側と他端側とで雄バックルと雌バックルを互い違いにしたので、リュックサックに模様替えした際にウエストベルトのウエスト雄バックル及びウエスト雌バックルをそのまま利用することができる。結果、リュックサック用に別途バックルを設ける必要がなく、部品点数を削減することができる。
【００１９】
請求項４に係る考案では、袋部は、小物を出し入れする際に開閉するウエスト側ファスナーを備えているので、ウエストポーチとして使用する際、ウエスト側ファスナーを開閉して容易に小物を出し入れすることができる。さらに、ウエストポーチとして使用する際、収納したリュックサック半体部を仕切として上下２段にし、上部ファスナーを開閉することで上部収納部へ小物を出し入れし、ウエスト側ファスナーを開閉することでポーチ収納部へ小物を出し入れし、使い勝手を向上することができる。
【００２０】
請求項５に係る考案は、リュックサック半体部は、物品を出し入れする際に開閉するリュック側ファスナーを備えているので、リュックサックとして使用する際、リュック側ファスナーを開閉して容易に物品を出し入れすることができる。
【図面の簡単な説明】
【００２１】
【図１】本考案に係るリュックサックに模様替えできるウエストポーチ（ウエストポーチ部）の正面図である。
【図２】ウエストポーチ部の側面図である。
【図３】ウエストポーチ部の背面図である。
【図４】ウエストポーチ部の作用図である。
【図５】ウエストポーチ部の断面図である。
【図６】本考案に係るリュックサックの正面図である。
【図７】リュックサックの側面図である。
【図８】リュックサックの背面図である。
【図９】従来技術の基本原理を説明する図である。
【考案を実施するための形態】
【００２２】
本考案の実施の形態を添付図に基づいて以下に説明する。
【実施例】
【００２３】
先ず、本考案の実施例を図面に基づいて説明する。
図１〜図３に示されるように、リュックサックに模様替えできるウエストポーチ１０は、ウエストポーチとして使用できる状態であり、小物を出し入れすることができる袋部２１及びこの袋部２１を利用者のウエストに保持するベルト３１からなるウエストポーチ部２０を備えている。また、ウエストポーチ１０の生地は、ポリエステルである。
【００２４】
袋部２１は、底を形成する底面部２２と、この底面部２２から立ち上がり利用者のウエストに当てる腰当て部２３と、底面部２２から立ち上がり周壁を形成するポーチ周壁部２４と、このポーチ周壁部２４の上端及び腰当て部２３の上端を塞ぐポーチ上面部２５とを備えている。
【００２５】
腰当て部２３の上端は、ポーチ上面部２５を開閉可能に支持するヒンジ２６の機能を有する。袋部２１の上部には上部ファスナー２７が設けられており、上部ファスナー２７を開けることでポーチ上面部２５を起こすことができる。
【００２６】
また、ポーチ周壁部２４には、小物を出し入れする際に開閉するウエスト側ファスナー２８が設けられている。ウエストポーチとして使用する際、ウエスト側ファスナー２８を開閉して容易に小物を出し入れすることができる。
【００２７】
ベルト３１は、腰当て部２３の幅方向一端から延び利用者のウエストに巻かれる第１ウエストベルト３２と、この第１ウエストベルト３２に設けられるウエスト雄バックル３３と、腰当て部２３の幅方向他端から延び利用者のウエストに巻かれる第２ウエストベルト３４と、この第２ウエストベルト３４に設けられウエスト雄バックル３３に着脱可能なウエスト雌バックル３５とを備えている。
【００２８】
この構成により、第１ウエストベルト３２に設けられるウエスト雄バックル３３を矢印（１）のように、第２ウエストベルト３４に設けられるウエスト雌バックル３５に着脱することで簡単にウエストポーチ部２０を利用者のウエストに着脱することができる。
【００２９】
次にリュックサックに模様替えできるウエストポーチ１０の作用について説明する。
図４に示されるように、リュックサックに模様替えできるウエストポーチ１０は、袋部２１に折り畳んだ状態で収納され上部ファスナー２７を開けることで引き出すことができリュックサック５０の上部を構成するリュックサック半体部４０を備える。
【００３０】
図４（ａ）に示されるように、上部ファスナー２７を開き、ポーチ上面部２５を矢印（２）のように起こす。
図４（ｂ）に示されるように、袋部２１からリュックサック半体部４０を矢印（３）のように引き出す。
図４（ｃ）に示されるように、リュックサック５０に模様替えすることができる。
【００３１】
このように、リュックサック半体部４０を袋部２１（ウエストポーチ部２０）に収納した状態でウエストポーチとして使用できる。また、リュックサック半体部４０を袋部２１から引き出した状態では、リュックサック５０の底を含む下部を袋部２１で構成し、上部をリュックサック半体部４０で構成することでリュックサック５０として使用できる。
【００３２】
一般的に、形態を変えることができる鞄、特にリュックサックに変形できるウエストポーチは、形態（大きさ）を変える機能だけが考慮され、利用者のウエストに当てる部分にまで配慮がなされていないと思われる。しかし、本考案ではリュックサック５０に模様替えできるウエストポーチ１０であっても、袋部２１は利用者のウエストに当てる腰当て部２３を有するので、腰当て部２３を利用者のウエストに沿ってフィットさせた形態にすることができ、ウエストポーチ１０を違和感なく身に付けて、付け心地を向上させることができる。
【００３３】
次にリュックサック半体部４０の収納状態から引き出す作用を概念的に断面図で説明する。
図５（ａ）に示されるように、リュックサック半体部４０は、ウエストポーチ部２０の袋部２１に折り畳んだ状態で収納されている。ポーチ上面部２５の先端は、リュックサック半体部４０と連続している。また、ポーチ周壁部２４の上端は、リュックサック半体部４０と連続している。すなわち、リュックサック半体部４０は、ウエストポーチ部２０に一体的に成形されている。袋部２１内の上部に上部仕切面５３が設けられている。
【００３４】
ウエストポーチとして使用する際、収納したリュックサック半体部４０を仕切として上下２段にし、上部ファスナー２７を開閉することで上部収納部５２へ小物を出し入れし、ウエスト側ファスナーを開閉することでポーチ収納部５１ａへ小物を出し入れし、使い勝手を向上することができる。
【００３５】
上部ファスナー２７を開き、ポーチ上面部２５を矢印（４）のように起こし、さらに図５（ｂ）に示されるように、リュックサック半体部４０を矢印（５）のように袋部２１から引き出すと、図５（ｃ）に示すリュックサック５０に模様替えすることができる。リュックサック半体部４０は、大容量のリュック収納部５１ｂを有する。ポーチ収納部５１ａ及びリュック収納部５１ｂによって収納部５１が構成されている。なお、実施例では上部仕切面５３を設けたが、上部仕切面５３は無くてもよい。この場合、ウエストポーチ部２０に一体的に成形されているので、収納部５１を大きくして使用することができる。
【００３６】
次にリュックサック５０について説明する。
図６〜図８に示されるように、リュックサックに模様替えできるウエストポーチ１０は、リュックサックとして使用できる状態である。リュックサック５０の左右一方側には、リュックサック半体部４０の上部から延び利用者の一方の肩に掛けられる第１ショルダーベルト４１と、この第１ショルダーベルト４１に設けられウエスト雄バックル３３に着脱可能なショルダー雌バックル４２とを備えている。
【００３７】
リュックサック５０の左右他方側には、リュックサック半体部４０の上部から延び利用者の他方の肩に掛けられる第２ショルダーベルト４２と、この第２ショルダーベルト４２に設けられウエスト雌バックル３５に着脱可能なショルダー雄バックル４３とを備えている。
【００３８】
ウエスト雌バックル３５を矢印（６）のように、第２ショルダーベルト４３に設けられるショルダー雄バックル４４に着脱し、ウエスト雄バックル３３を矢印（７）のように、第１ショルダーベルト４１に設けられるショルダー雌バックル４２に着脱するだけで、簡単にリュックサック５０のショルダーベルトにすることができる。
【００３９】
さらに、ウエストベルト３２、３４とショルダーベルト４１、４３において、左右一端側と他端側とで雄バックル３３、４４と雌バックル３５、４２を互い違いにしたので、ウエストポーチの状態からリュックサック５０に模様替えした際にウエストベルト３２、３４のウエスト雄バックル３３及びウエスト雌バックル３５をそのまま利用することができる。結果、リュックサック５０用に別途バックルを設ける必要がなく、部品点数を削減することができる。
【００４０】
リュックサック半体部４０は、物品を出し入れする際に開閉するリュック側ファスナー４５と、リュックサック５０をフック等に引っかける引っかけ部４６とを備えている。リュック側ファスナー４５を備えることで、リュックサック５０として使用する際、リュック側ファスナー４５を開閉して容易に物品を出し入れすることができる。引っかけ部４６を備えることで、リュックサック５０を壁のフック等に引っかけることができる。
【００４１】
リュックサック半体部は、利用者の背中に当てる背中当て部４７を備えている。リュックサック５０の背面側は、利用者のウエストに当てる腰当て部２３と、この腰当て部２３の上端に連続するポーチ上面部２５と、このポーチ上面部２５の上端に連続する背中当て部４７とによって構成されている。
【００４２】
一般的に、形態を変えることができる鞄、特にウエストポーチに変形できるリュックサックは、形態（大きさ）を変える機能だけが考慮され、利用者の背中に当てる部分にまで配慮がなされていないと思われる。しかし、本考案ではウエストポーチ１０から模様替えしたリュックサック５０であっても、袋部２１は利用者の背中に当てる背中当て部４７を有するので、背中当て部４７を利用者の背中に沿ってフィットさせた形態にすることができ、リュックサック５０を違和感なく背負い、背負い心地を向上させることができる。
【００４３】
リュックサック半体部４０は、リュックサック５０の前面を構成する前面部４８を備えている。リュックサック５０の前面側は、ポーチ周壁部２４と、このポーチ周壁部２４の上端に連続する前面部４８とによって構成されている。リュックサック５０に物品を満載した場合であっても、ポーチ周壁部２４のウエスト側ファスナーを開閉することで、リュックサック５０下部の物品を容易に出し入れすることができる。また、前面部の上端にリュック側ファスナー４５を設けることで、リュックサック５０の上方からも物品を容易に出し入れすることができる。
【００４４】
また、第１ショルダーベルト４１及び第２ショルダーベルト４３は、内側がメッシュ素材で構成され、内部にクッション材が入れられている。リュックサック５０に物品を満載した場合でも、クッション材を採用することでショルダーベルト４１、４３が肩に食い込まないようにでき、メッシュ素材を採用することで肩の接触部の通気性を向上することができ、利用者の肩に掛かる負担を軽減することができる。ウエストポーチ１０から模様替えしたリュックサック５０であっても、リュックサック５０単体としての機能も向上させることができる。
【００４５】
このように、本考案であれば、財布や携帯端末などの小物を収納できるウエストポーチであって、多くの物品や大きな物品を収納するリュックサックに模様替えできるウエストポーチを提供することができる。
【００４６】
尚、実施例では、リュックサックに模様替えできるウエストポーチ１０の素材をポリエステルとしたがこれに限定されず、柔軟な材質であれば布製、ビニール製など他の一般的な材料であっても差し支えない。
【産業上の利用可能性】
【００４７】
本考案は、小物を出し入れするウエストポーチに好適である。
【符号の説明】
【００４８】
１０…  リュックサックに模様替えできるウエストポーチ
２０…  ウエストポーチ部
２１…  袋部
２７…  上部ファスナー
２８…  ウエスト側ファスナー
３１…  ベルト
３２…  第１ウエストベルト
３３…  ウエスト雄バックル
３４…  第２ウエストベルト
３５…  ウエスト雌バックル
４０…  リュックサック半体部
４１…  第１ショルダーベルト
４２…  ショルダー雌バックル
４３…  第２ショルダーベルト
４４…  ショルダー雄バックル
４５…  リュック側ファスナー
５０…  リュックサック
【図１】
0003202016.tif 000003
【図２】
0003202016.tif 000004
【図３】
0003202016.tif 000005
【図４】
0003202016.tif 000006
【図５】
0003202016.tif 000007
【図６】
0003202016.tif 000008
【図７】
0003202016.tif 000009
【図８】
0003202016.tif 000010
【図９】
0003202016.tif 000011